(57)【要約】      （修正有）【課題】映像信号にノイズが混在する場合にも画像を安定させることができるテレビジョンの提供。【解決手段】映像信号にノイズ成分が多く混在している場合には、ＡＦＣ電圧のゲインを低下させることにより、不適正なＡＦＣ電圧に基づいて水平発振パルスの周波数を補正されることが防止できる。従って、弱電界時や無信号時にＡＦＣ回路１４ａが画像の横揺れを増長させることが防止できる。無信号時においてもＡＦＣ回路１４ａが画像の横揺れを増長させないため、無信号時においてもＯＳＤ画像を安定して表示することができる。一方、水平同期信号にノイズ成分が混在していない場合には、ＡＦＣ電圧のゲインを増加させることにより、適正なＡＦＣ電圧に基づいて水平発振パルスの周波数を補正することができる。【選択図】図４
0003113039.tif 000002
【実用新案登録請求の範囲】
【請求項１】
放送信号を受信する受信手段と、上記放送信号から映像信号を生成する映像信号生成手段と、上記映像信号から水平同期信号を抽出する同期分離手段と、上記映像信号に基づいて電子ビームをブラウン管の管面に放射する電子ビーム照射手段と、上記電子ビームを水平発振パルスに基づいて偏向させることにより、上記ブラウン管の管面に水平ラスタを形成する水平偏向手段と、上記水平発振パルスの周波数を上記水平同期信号に基づいて補正する周波数補正手段とを具備するテレビジョンにおいて、
上記水平同期信号に混在するノイズ成分を周波数に基づいて抽出し、同ノイズ成分の振幅をノイズレベルとして検出するノイズレベル検出手段と、
上記ノイズレベルが高いときに上記周波数補正手段における補正度合いが低くなるように同ノイズレベルと同補正度合いとの対応関係が規定された対応テーブルを参照することにより、上記ノイズレベル検出手段にて検出された同ノイズレベルに対応した同補正度合いを特定し、同補正度合いにより上記周波数補正手段にて上記水平発振パルスの周波数を補正する補正量調整手段とを具備することを特徴とするテレビジョン。
【請求項２】
放送信号を受信する受信手段と、上記放送信号から映像信号を生成する映像信号生成手段と、上記映像信号から水平同期信号を抽出する同期分離手段と、上記映像信号に基づいて電子ビームをブラウン管の管面に放射する電子ビーム照射手段と、上記電子ビームを水平発振パルスに基づいて偏向させることにより、上記ブラウン管の管面に水平ラスタを形成する水平偏向手段と、上記水平発振パルスの周波数を上記水平同期信号に基づいて補正する周波数補正手段とを具備するテレビジョンにおいて、
上記映像信号のノイズレベルを検出するノイズレベル検出手段と、
上記ノイズレベルに基づいて上記周波数補正手段における補正度合いを調整する補正量調整手段とを具備することを特徴とするテレビジョン。
【請求項３】
上記補正量調整手段は、上記ノイズレベルが大きいときに上記周波数補正手段における補正度合いを弱くすることを特徴とする請求項２に記載のテレビジョン。
【請求項４】
上記ノイズレベル検出手段は、上記映像信号の所定の周波数成分をノイズ成分として抽出し、同ノイズ成分についての上記ノイズレベルを検出することを特徴とする請求項２または請求項３のいずれかに記載のテレビジョン。
【請求項５】
上記ノイズレベル検出手段は、上記ノイズ成分の振幅を上記ノイズレベルとして検出することを特徴とする請求項４に記載のテレビジョン。
【請求項６】
上記ノイズレベル検出手段は、上記映像信号における上記水平同期信号に混在する上記ノイズ成分の上記ノイズレベルを検出することを特徴とする請求項４または請求項５のいずれかに記載のテレビジョン。
【請求項７】
上記補正量調整手段は、上記ノイズレベルと上記補正度合いとの対応関係を規定した対応テーブルを参照して同ノイズレベルに対応する同補正度合いを特定することを特徴とする請求項２から請求項６のいずれかに記載のテレビジョン。
【考案の詳細な説明】
【技術分野】
【０００１】
本考案は、ＡＦＣ回路を備えるテレビジョンに関する。
【背景技術】
【０００２】
従来、この種のテレビジョンとして、ＡＦＣのループゲインを水平同期信号のパルスカウントに基づいて調整するものが知られている（例えば、特許文献１、参照。）。
かかる構成によれば、水平同期信号のパルスカウントが不正な場合に、ＡＦＣのループゲインを低下させ、不正な水平同期信号に基づいて水平発振パルスの周波数が補正されることが防止できた。
【特許文献１】特開平８−１６８０３５号
【考案の開示】
【考案が解決しようとする課題】
【０００３】
しかしながら、弱電界時のように映像信号における水平同期信号の周辺にノイズが混入する場合、ノイズを水平同期パルスとしてカウントしまい、パルスカウントを正確に測定することができないという問題があった。従って、不正な水平同期信号に基づいて水平発振パルスの周波数が補正され、画像が不安定になるという課題があった。
本考案は、上記課題にかんがみてなされたもので、映像信号にノイズが混在する場合にも画像を安定させることができるテレビジョンの提供を目的とする。
【課題を解決するための手段】
【０００４】
上記目的を達成するため、請求項２にかかる考案では、放送信号を受信する受信手段と、上記放送信号から映像信号を生成する映像信号生成手段と、上記映像信号から水平同期信号を抽出する同期分離手段と、上記映像信号に基づいて電子ビームをブラウン管の管面に放射する電子ビーム照射手段と、上記電子ビームを水平発振パルスに基づいて偏向させることにより、上記ブラウン管の管面に水平ラスタを形成する水平偏向手段と、上記水平発振パルスの周波数を上記水平同期信号に基づいて補正する周波数補正手段とを具備するテレビジョンにおいて、
上記映像信号のノイズレベルを検出するノイズレベル検出手段と、上記ノイズレベルに基づいて上記周波数補正手段における補正度合いを調整する補正量調整手段とを具備する構成としてある。
【０００５】
上記のように構成した請求項２の考案において、受信手段が放送信号を受信し、この放送信号から映像信号生成手段が映像信号を生成する。同期分離手段は上記映像信号に含まれる水平同期信号を抽出する。電子ビーム照射手段は上記映像信号に基づいて電子ビームをブラウン管の管面に放射するとともに、水平偏向手段は上記電子ビームを水平発振パルスに基づいて偏向させて上記ブラウン管の管面に水平ラスタを形成する。これにより、上記映像信号に応じたビーム量の上記電子ビームによる水平ラスタによって上記ブラウン管にて画像を再現することができる。
【０００６】
周波数補正手段は、上記水平発振パルスの周波数を上記水平同期信号に基づいて補正する。従って、上記水平発振パルスの周波数を上記水平同期信号の周波数に近づけるように補正することができ、安定した画像を再現することができる。ノイズレベル検出手段は上記映像信号上記映像信号のノイズレベルを検出し、上記補正量調整手段は同ノイズレベルに基づいて上記周波数補正手段における補正度合いを調整する。すなわち、上記映像信号における上記ノイズレベルの大小に応じて、上記補正量調整手段における補正の強弱を調整することができる。
【０００７】
また、請求項３にかかる考案では、上記補正量調整手段は、上記ノイズレベルが大きいときに上記周波数補正手段における補正度合いを弱くする構成としてある。
上記のように構成した請求項３の考案において、上記映像信号における上記ノイズレベルが大きいときに上記周波数補正手段における補正度合いが弱められる。すなわち、上記映像信号にノイズが多く含まれる場合において、同映像信号から抽出される上記水平同期信号が不正確となるが、この不正確な同水平同期信号に基づく上記周波数補正手段による補正度合いを弱めることができる。従って、上記映像信号にノイズが多く含まれる場合においても、画像が不安定になることを防止することができる。
【０００８】
さらに、請求項４にかかる考案では、上記ノイズレベル検出手段は、上記映像信号の所定の周波数成分をノイズ成分として抽出し、同ノイズ成分についての上記ノイズレベルを検出する構成としてある。
上記のように構成した請求項４の考案において、上記映像信号から所定の周波数成分を抽出し、この周波数成分をノイズ成分とする。そして、同ノイズ成分についての上記ノイズレベルを検出する。すなわち、上記映像信号に含まれる各種信号成分と上記ノイズ成分を明確に区別した上で、同ノイズ成分の上記ノイズレベルを検出することができる。
【０００９】
さらに、請求項５にかかる考案は、上記ノイズレベル検出手段は、上記ノイズ成分の振幅を上記ノイズレベルとして検出する構成としてある。
上記のように構成した請求項５の考案において、上記ノイズ成分の振幅を測定し、同測定された振幅を上記ノイズレベルとする。すなわち、上記映像信号に含まれる上記ノイズ成分の振幅の大小に応じて、上記補正量調整手段における補正の強弱を調整することができる。
【００１０】
また、請求項６にかかる考案は、上記ノイズレベル検出手段は、上記映像信号における上記水平同期信号に混在する上記ノイズ成分の上記ノイズレベルを検出する構成としてある。
上記のように構成した請求項６の考案において、上記映像信号における上記水平同期信号に混在する上記ノイズ成分の上記ノイズレベルに基づいて、上記補正量調整手段における補正の強弱が調整される。上記水平同期信号の波形は予め予測することができるため、同水平同期信号と上記ノイズ成分とを容易に識別することができ、同ノイズ成分の上記ノイズレベルを正確に検出することができる。
【００１１】
また、請求項７にかかる考案は、上記補正量調整手段は、上記ノイズレベルと上記補正度合いとの対応関係を規定した対応テーブルを参照して同ノイズレベルに対応する同補正度合いを特定する構成としてある。
上記のように構成した請求項７の考案において、上記ノイズレベルと上記補正度合いとの対応関係を規定した対応テーブルが設けておくことにより、同対応テーブルを参照して上記補正量調整手段が上記ノイズレベル検出手段にて検出した同ノイズレベルに対応する同補正度合いを特定することができる。
【００１２】
以上の構成を踏まえたうえで、請求項１の考案は、放送信号を受信する受信手段と、上記放送信号から映像信号を生成する映像信号生成手段と、上記映像信号から水平同期信号を抽出する同期分離手段と、上記映像信号に基づいて電子ビームをブラウン管の管面に放射する電子ビーム照射手段と、上記電子ビームを水平発振パルスに基づいて偏向させることにより、上記ブラウン管の管面に水平ラスタを形成する水平偏向手段と、上記水平発振パルスの周波数を上記水平同期信号に基づいて補正する周波数補正手段とを具備するテレビジョンにおいて、
上記水平同期信号に混在するノイズ成分を周波数に基づいて抽出し、同ノイズ成分の振幅をノイズレベルとして検出するノイズレベル検出手段と、
上記ノイズレベルが高いときに上記周波数補正手段における補正度合いが低くなるように同ノイズレベルと同補正度合いとの対応関係が規定された対応テーブルを参照することにより、上記ノイズレベル検出手段にて検出された同ノイズレベルに対応した同補正度合いを特定し、同補正度合いにより上記周波数補正手段にて上記水平発振パルスの周波数を補正する補正量調整手段とを具備する構成としてある。
このような、より具体的な構成において上述した請求項２〜請求項７の各考案と同様の作用を奏することは言うまでもない。
【考案の効果】
【００１３】
以上説明したように請求項１および請求項２の考案によれば、映像信号にノイズが混在する場合にも画像を安定させることができるテレビジョンを提供することができる。
請求項３の考案によれば、弱電界時においても画像を安定させることができる。
請求項４の考案によれば、正確にノイズレベルを検出することができる。
【００１４】
請求項５の考案によれば、容易にノイズレベルを検出することができる。
請求項６の考案によれば、正確に水平同期信号に混在するノイズレベルを検出することができる。
請求項７の考案によれば、容易にノイズレベルから補正度合いを特定することができる。
【考案を実施するための最良の形態】
【００１５】
ここでは、下記の順序に従って本考案の実施形態について説明する。
（１）テレビジョンの全体構成：
（２）本考案の動作：
（３）まとめ：
【００１６】
（１）テレビジョンの全体構成：
図１は、本考案の一実施形態にかかるテレビジョンの全体構成を模式的に示している。同図において、テレビジョン１０はカラー表示装置としてブラウン管１７を備えており、同ブラウン管１７において外部のアンテナ２０にて受信された放送波に基づく画像を表示することが可能となっている。アンテナ２０は地上放送波を受信し、同放送波をテレビジョン１０に所定のケーブルを介して送出する。一方、テレビジョン１０は、チューナ１１と映像中間波増幅回路（ＶＩＦ）１２と映像信号処理回路１３と水平偏向回路１４と垂直偏向回路１５と偏向ヨーク１６とブラウン管１７とマイコン１８を備えている。
【００１７】
アンテナ２０にて受信された放送波は、チューナ１１に入力され、同チューナ１１において所望の周波数帯の放送波が抽出される。抽出された放送波はＶＩＦ１２に入力され、同ＶＩＦ１２にて所定の増幅処理や復調処理を行うことにより、同放送波に基づく映像信号が生成される。この意味でＶＩＦ１２は、本発明の映像信号生成手段に相当する。ＶＩＦ１２にて生成した映像信号は映像信号処理回路１３に入力され、同映像信号処理回路１３において同映像信号の解析等が行われる。
【００１８】
まず、映像信号処理回路１３においては映像信号からＲＧＢ各チャンネルの輝度信号を抽出し、同輝度信号をブラウン管１７に出力する。ブラウン管１７には本発明の電子ビーム照射手段に相当する電子銃が各チャンネルに対応して備えられており、同電子銃では入力された輝度信号に応じたビーム量にて電子ビームを放射することが可能となっている。これにより、各チャンネルの電子ビームが照射されるブラウン管１７の管面において上記映像信号に基づく色を再現することができる。
【００１９】
また、映像信号処理回路１３には同期分離回路１３ａが備えられ、同期分離回路１３ａにおいて水平同期信号と垂直同期信号が生成される。映像信号は、上述した輝度信号の元となる色信号やカラーバースト信号や同期信号等が合成されたものであるため、同期分離回路１３ａは同映像信号から同期信号のみを抽出する。抽出した水平同期信号は水平偏向回路１４に出力され、垂直同期信号は垂直偏向回路１５に出力される。
【００２０】
映像信号処理回路１３には周波数フィルタ１３ｂが備えられ、映像信号に含まれる高周波成分をノイズ成分として抽出することが可能となっている。図２は、映像信号を模式的に示している。同図において、映像信号は色信号と水平同期信号とカラーバースト信号とから構成されており、これらの全体的にわたって高周波のノイズ成分が混在している。なお、本来、水平同期信号は矩形状のパルス波形となる。周波数フィルタ１３ｂは、映像信号のうち水平同期信号とその周辺の区間の信号のみを抽出し、同抽出した信号から高周波成分のみを抽出する。
【００２１】
これにより、比較的に波長の長い水平同期信号は除去されて、同水平同期信号とその周辺に混在するノイズ成分のみを抽出することができる。また、予め映像信号のうち水平同期信号の周辺の信号のみを抽出しておくことにより、比較的に周波数が高い色信号やカラーバースト信号がノイズ成分として抽出されることが防止できる。従って、周波数フィルタ１３ｂが抽出を行う区間はカラーバーストや色信号と重複しない区間としておくことが望ましい。次に、ノイズレベル検出回路１３ｃは、周波数フィルタ１３ｂにおいて抽出されたノイズ成分の平均的な振幅をノイズレベルとして測定する。ノイズ成分の平均的な振幅が大きいほどノイズレベルも大きくなり、ノイズ成分の平均的な振幅が小さいほどノイズレベルも小さくなる。なお、ノイズレベルはノイズ成分の混在度合いを示す指標であればよく、振幅に限られない。例えば、ノイズ成分の波数等をノイズレベルとして検出しても良い。また、平均的な振幅に限られず、最大振幅等をノイズレベルとして検出しても良い。
【００２２】
垂直偏向回路１５は、入力された垂直同期信号に基づいて同垂直同期信号に同期した垂直ドライブ電流を生成し、同垂直ドライブ電流を偏向ヨーク１６に出力する。偏向ヨーク１６は垂直ドライブ電流に基づいて磁界を変動させることにより、上記電子ビームを垂直方向に偏向させることが可能となっている。これにより、ブラウン管１７において電子ビームを垂直方向に走査させることが可能となる。
【００２３】
一方、水平偏向回路１４は、入力された水平同期信号に基づいて、例えばブロッキング発信器によって水平発振パルスを生成し、同水平発振パルスに基づく水平ドライブ電流を生成する。水平偏向回路１４にて生成された水平ドライブ電流は、偏向ヨーク１６に出力される。偏向ヨーク１６は水平ドライブ電流に基づいて磁界を変動させることにより、上記電子ビームを水平方向に偏向させることが可能となっている。これにより、ブラウン管１７において電子ビームが水平方向に走査することとなり、同ブラウン管１７の管面に水平方向のラスターを形成することが可能となる。なお、水平発振パルスを得る構成としてはブロッキング発信器に限られず、マルチバイブレータを利用して水平発振パルスを生成しても良い。さらに、垂直ドライブ電流によって電子ビームが垂直方向にも走査するため、ブラウン管１７の管面に２次元の画像を表示することができる。
【００２４】
水平偏向回路１４は、本考案の周波数補正手段としてのＡＦＣ回路１４ａを備えている。図３は、ＡＦＣ回路１４ａの等価回路の一例を示している。同図において、ＡＦＣ回路１４ａは端子Ａ，Ｂ，Ｃにおいてそれぞれ水平同期信号と水平同期信号の反転パルスと水平発振パルスをそれぞれ入力している。端子Ａ，Ｂに入力される水平同期信号と水平同期信号の反転パルスは同期分離回路１３ａにて生成された信号であり、端子Ｃに入力される水平発振パルスは実際の水平発振パルスに基づくフィードバック信号である。
【００２５】
すなわち、ＡＦＣ回路１４ａにおいては水平発振パルスをフィードバックし、同水平発振パルスと水平同期信号とを比較する。そして、水平発振パルスが水平同期信号よりも低周波となっている場合には正のＡＦＣ電圧を出力し、水平発振パルスが水平同期信号よりも高周波となっている場合には負のＡＦＣ電圧を出力する。このＡＦＣ電圧は、調整回路１４ａ１を介して水平ドライブ電流を生成するブロッキング発信器に出力されるため、同ＡＦＣ電圧に基づいて水平発振パルスの周期を補正することが可能となっている。
【００２６】
すなわち、水平発振パルスが水平同期信号よりも低周波となっている場合には正のＡＦＣ電圧がブロッキング発信器に入力されることにより水平発振パルスの周期が早められるし、水平発振パルスが水平同期信号よりも高周波となっている場合には低いＡＦＣ電圧がブロッキング発信器に入力されることにより水平発振パルスの周期が遅められる。このようなフィードバック制御をＡＦＣ回路１４ａにおいて断続的に行うことにより、水平同期信号と水平発振パルスの周波数を一致させることができ、水平方向の揺れが少ない安定した画像を再現することができる。
【００２７】
また、ＡＦＣ電圧は調整回路１４ａ１を経由して、後段のブロッキング発信器に出力される。調整回路１４ａ１にはマイコン１８の補正量調整部１８ａからの１．０以下の補正度合いＣが入力されており、同補正度合いＣに応じてＡＦＣ電圧の電圧レベルを調整することが可能となっている。具体的には、入力されたＡＦＣ電圧に対して補正度合いＣを乗算する乗算回路を有しており、ＡＦＣ電圧に補正度合いＣを乗算した値が最終的にブロッキング発信器に出力されることとなる。なお、マイコン１８は図示しないＣＰＵやＲＯＭやＲＡＭ等を具備しており、これらを駆使することにより各種機能を実現することが可能となっている。マイコン１８のＲＯＭには対応テーブル１８ｂが記憶されており、ＣＰＵ上にて実現されるプログラムモジュールである補正量調整部１８ａが同対応テーブル１８ｂを適宜読み出して参照することが可能となっている。
【００２８】
図４は、対応テーブル１８ｂに記述された内容をグラフにして示している。同図において、横軸にはノイズレベルＮが示されており、縦軸には補正度合いＣが示されている。補正度合いＣは、ノイズレベルＮが０であるとき１．０で最大となり、ノイズレベルＮが大きくなるほど線形的に減少し、０でない所定の値で最小値となる。例えば、ノイズレベルＮが０であるとき、補正度合いＣが１．０であることが対応テーブル１８ｂを参照して特定され、補正度合いＣが１．０である旨の信号が調整回路１４ａ１に出力される。
【００２９】
なお、以上の各回路は、説明のために個別に記載したが、複数の回路が単一のＩＣ上に組み込まれていても良い。また、一部の機能をマイコン１８にて実現されるソフトウェアによって代替させても良い。反対に、ソフトウェアにて実現される機能をハードウェア上で行うようにしても良い。各回路において取り扱う信号は、デジタル信号であってもアナログ信号であっても良い。むろん、アンテナ２０にて受信される放送波も、デジタル放送波であってもアナログ放送波であってもよい。なお、ノイズレベルＮをデジタルで検出するようにすれば、Ａ／Ｄ変換を行うことなく、マイコン１８がノイズレベルＮを取り扱うことができる。
【００３０】
また、対応テーブル１８ｂを予め用意しておくことにより、簡単な処理で補正度合いＣを特定することができる。ただし、必ずしも対応テーブル１８ｂによって補正度合いＣを特定するものに限られず、ノイズレベルＮから補正度合いＣが算出される関数を用意しておいても良い。また、図４の対応関係は一例であり、対応テーブル１８ｂに規定された補正度合いＣがノイズレベルＮに応じて二次関数的に変動したり、指数関数的に変動したりしても良い。
【００３１】
（２）本考案の動作：
以上説明した本実施形態の構成における動作を説明する。図４において、ノイズレベルＮが０であるとき、補正度合いＣが１．０である旨の制御信号が調整回路１４ａ１に出力される。そして、ノイズレベルＮが大きくなるほど、調整回路１４ａ１に出力される補正度合いＣの値が小さくなる。すなわち、水平同期信号の周辺におけるノイズレベルＮが大きければ大きいほど、補正度合いＣが小さくなり、ブロッキング発信器に出力されるＡＦＣ電圧のゲインが小さくなる。
【００３２】
従って、水平同期信号の周辺におけるノイズレベルＮが大きければ大きいほど、ＡＦＣ回路１４ａによる水平発振パルスの補正度合いＣの値が小さくなる。反対に、ノイズレベルＮが小さくなるほど、調整回路１４ａ１に出力される補正度合いＣの値が大きくなる。すなわち、水平同期信号の周辺におけるノイズが小さければ小さいほど、補正度合いＣが大きくなり、ブロッキング発信器に出力されるＡＦＣ電圧のゲインが大きくなる。従って、水平同期信号の周辺に混在するノイズの程度が軽いほど、ＡＦＣ回路１４ａによる水平発振パルスの補正度合いが強められる。反対に、水平同期信号の周辺に混在するノイズの程度が大きいほど、ＡＦＣ回路１４ａによる水平発振パルスの補正度合いが弱められる。
【００３３】
このように、水平同期信号の周辺に混在するノイズの程度が大きいときに、ＡＦＣ回路１４ａによって補正する水平発振パルスの周波数の補正度合いを弱めることにより、弱電界時において画像が水平方向に揺れて乱れることが防止できる。すなわち、ＡＦＣ回路１４ａは水平発振パルスの周波数を水平同期信号に基づいてフィードバック補正するものであるが、同ＡＦＣ回路１４ａにて基準としている水平同期信号にノイズ成分が多く混在している場合には、適正なＡＦＣ電圧を出力し、適正なフィードバック補正をすることが不可能となる。そこで、ノイズレベルＮが高く、不適正なＡＦＣ電圧が出力されると予想されるときに、ＡＦＣ電圧のゲインを低下させることにより、不適正なＡＦＣ電圧に基づいて水平発振パルスの周波数を補正されることが防止できる。
【００３４】
従って、弱電界時や無信号時にＡＦＣ回路１４ａが画像の横揺れを増長させることが防止できる。無信号時においてもＡＦＣ回路１４ａが画像の横揺れを増長させないため、無信号時においてもＯＳＤ画像を安定して表示することができる。ただし、最もノイズレベルＮが大きい場合でも補正度合いＣを０としていないため、ある程度はＡＦＣ回路１４ａの補正効果を維持することができる。一方、ノイズレベルＮが低く、適正なＡＦＣ電圧が出力されると予想されるときには、ＡＦＣ電圧のゲインを増加させることにより、適正なＡＦＣ電圧に基づいて水平発振パルスの周波数を補正することができる。従って、水平方向の揺れの少ない安定した画像を再現することができる。
【００３５】
（３）まとめ：
以上説明したように、本考案において、水平同期信号にノイズ成分が多く混在している場合には、ＡＦＣ電圧のゲインを低下させることにより、不適正なＡＦＣ電圧に基づいて水平発振パルスの周波数を補正されることが防止できる。従って、弱電界時や無信号時にＡＦＣ回路１４ａが画像の横揺れを増長させることが防止できる。無信号時においてもＡＦＣ回路１４ａが画像の横揺れを増長させないため、無信号時においてもＯＳＤ画像を安定して表示することができる。一方、水平同期信号にノイズ成分が混在していない場合には、ＡＦＣ電圧のゲインを増加させることにより、適正なＡＦＣ電圧に基づいて水平発振パルスの周波数を補正することができる。
【図面の簡単な説明】
【００３６】
【図１】本考案の一実施形態にかかるテレビジョンのブロック図である。
【図２】映像信号を示した波形図である。
【図３】ＡＦＣ回路の等価回路図である。
【図４】対応テーブルの内容を示すグラフである。
【符号の説明】
【００３７】
１０…テレビジョン
１１…チューナ
１２…映像中間波増幅回路
１３…映像信号処理回路
１３ａ…同期分離回路
１３ｂ…周波数フィルタ
１３ｃ…ノイズレベル検出回路
１４…水平偏向回路
１４ａ…ＡＦＣ回路
１４ａ１…調整回路
１５…垂直偏向回路
１６…偏向ヨーク
１７…ブラウン管
１８…マイコン
１８ａ…補正量調整部
１８ｂ…対応テーブル
２０…アンテナ
Ａ，Ｂ，Ｃ…端子
【図１】
0003113039.tif 000003
【図２】
0003113039.tif 000004
【図３】
0003113039.tif 000005
【図４】
0003113039.tif 000006